(57)【特許請求の範囲】
【請求項１】
信号変換部が収納される容器と、
この容器に設けられたベースボードと、
このベースボードにコネクター接続され且つ前記容器にねじにより取り付け固定されプリント板を有するアンプユニットと
を具備する渦流量計において、
前記容器の前記ねじ取り付け部に設けられ前記コネクター接続が容易に出来るように前記ねじを誘導する誘導孔と、
前記アンプユニットのプリント板に取付けられ一端部に前記容器の前記ねじ取り付け部にねじ合わされるねじ部と途中に設けられ前記ねじ部の直径より直径が小さくて前記プリント板が片側のみ締め付けられてもねじり加重が加わらず前記プリント板を所定ストロークスライド出来るスライド部とを有する支柱と
を具備したことを特徴とする渦流量計。
【発明の詳細な説明】
【０００１】
【発明の属する技術分野】
本発明は、アンプ部の容器への容易な位置決めと容易な締め付け固定が出来、組立てが容易で、製造コストを低減出来る渦流量計に関するものである。
【０００２】
【従来の技術】
図１０は、従来より一般に使用されている従来例の構成説明図、図１１は図１０の平面図、図１２は図１０の部品であるアンプユニットの構成説明図、図１３は図１２の側面図である。
【０００３】
図において、１は渦流量計本体部、２は渦流量計本体部１に設けられた信号変換器部である。
３は信号変換部が収納される容器である。
【０００４】
４はこの容器３に設けられたベースボードである。
５はこのベースボード４にコネクター６接続され、且つ、容器３にねじ７により取り付け固定され、プリント板８を有するアンプユニットである。
【０００５】
１１はベースボード４に設けられた位置決めピンである。
図１２に示す如く、１２はプリント板８に設けられた位置決めピン１１用の孔である。
【０００６】
以上の構成において、アンプユニット５の取付けは、ベースボード４に直立して取り付けられた位置決めピン１１に、プリント板８に設けられた位置決めピン１１用の孔を差込み、その後、アンプユニット５は、容器３に２個のねじ７により、交互に締め付けを行い、取り付け固定される。
【０００７】
【発明が解決しようとする課題】
しかしながら、このような装置においては、以下の問題点がある。
アンプユニット５は故障時、点検時に取り外すことがあるが、この装置を保有する作業者等が行うことがある。
【０００８】
この場合、作業に不慣れな為、アンプユニット５を位置決めピン１１に差し込む時に、アンプユニット５を破損させたり、アンプユニット５をねじ７で固定するときに、片締めなどで、アンプユニット５が破損する可能性がある。
【０００９】
従って、取付けねじは、交互に締め付けを行なわ無ければならない。
また、図１０従来例のベースボード４とアンプユニット５とは、１個のコネクタ６により電気的に接続されていたが、電源部とセンサー信号部とを分離するために、２個の独立したコネクターを使用して、ベースボード４とアンプユニット５とを、電気的に接続する事を採用すれば、図１０従来例よりも、精度の高い位置決めが要求される。
【００１０】
また、プリント板８に、位置決めピン１１用の孔１２を付加すると、電子部品の実装される有効な面積が減少する。
【００１１】
本発明の目的は、上記の課題を解決するもので、アンプ部の容器への容易な位置決めと容易な締め付け固定が出来、組立てが容易で、製造コストを低減出来る渦流量計を提供することにある。
【００１２】
【課題を解決するための手段】
このような目的を達成するために、本発明では、請求項１記載の圧力測定装置においては、
信号変換部が収納される容器と、この容器に設けられたベースボードと、このベースボードにコネクター接続され且つ前記容器にねじにより取り付け固定されプリント板を有するアンプユニットとを具備する渦流量計において、前記容器の前記ねじ取り付け部に設けられ前記コネクター接続が容易に出来るように前記ねじを誘導する誘導孔と、前記アンプユニットのプリント板に取付けられ一端部に前記容器の前記ねじ取り付け部にねじ合わされるねじ部と途中に設けられ前記ねじ部の直径より直径が小さくて前記プリント板が片側のみ締め付けられてもねじり加重が加わらず前記プリント板を所定ストロークスライド出来るスライド部とを有する支柱とを具備したことを特徴とする。
【００１３】
【発明の実施の形態】
以下図面を用いて本発明を詳しく説明する。
図１は本発明の一実施例の要部構成説明図、図２は図１の要部詳細説明図、図３は図２の部品である容器の要部構成説明図、図４は図２の部品である支柱の要部構成説明図、図５は図１の部品であるアンプの要部構成説明図、図６は図５の側面図、図７，図８，図９は図１の動作説明図である。
【００１４】
図において、図１０と同一記号の構成は同一機能を表す。
以下、図１０と相違部分のみ説明する。
【００１５】
図において、誘導孔２１は、容器３のねじ取り付け部２２に設けられ、コネクター接続が容易に出来るように、アンプユニット５の取付けねじを誘導する孔である。
【００１６】
支柱２３は、プリント板８に取付けられ、ねじ部２３１とスライド部２３２とを有する。
ねじ部２３１は、支柱２３の一端部に設けられ、容器３のねじ取り付け部２２にねじ合わされる。
【００１７】
スライド部２３２は、支柱２３の途中に設けられ、プリント板８を所定ストロークLスライド出来る。
この場合は、図６に示す如く、アンプユニット５には、ベースユニット４とコネクタ接続されるコネクタ２４，２５が設けられている。
【００１８】
また、図６に示す如く、支柱２３のスライド部２３２には、抜け止め防止のＥリング３１が取付けられている。
【００１９】
以上の構成において、アンプユニット５をベースボード４に取付けるには、以下の如くする。
先ず、図７に示す如く、アンプユニット５に取付けられた支柱２３のねじ部２３１を、ねじ取付け部２２の誘導孔２１に配置する。
【００２０】
次に、図８に示す如く、プリント板８をスライドして、アンプユニット５のプリント板８に取付けられたコネクター２４，２５を、ベースボード４にコネクター接続する。
【００２１】
終わりに、図９に示す如く、容器３のねじ取り付け部２２に、支柱２３のねじ部２３１がねじ合わされる。
【００２２】
この結果、アンプユニット５の容器３への取付けは、容器３のねじ取り付け部２２に設けられ、コネクター接続が容易に出来るように、アンプユニット５のねじ２３１を誘導する誘導孔２１と、アンプユニット５のプリント板８に取付けられ一端部に容器３のねじ取り付け部２２にねじ合わされるねじ部２３１と、途中に設けられプリント板８を所定ストロークスライド出来るスライド部２３２とを有する支柱２３が設けられた。
【００２３】
従って、容器３側の誘導孔２１とアンプユニット５側のねじ部２３１とにより、位置決めをし、スライド部２３２によりプリント板８をスライド出来るようにして、コネクター２４，２５による、ベースボード４とのコネクター接続を可能にして、位置決めピン１１によるアンプユニット５の破損の恐れを回避したので、組立てが容易で、製造コストを低減出来る渦流量計が得られる。
【００２４】
また、位置決めピン１１を無くしたので、プリント板８の電子部品の実装有効面積が増加出来る渦流量計が得られる。
また、この場合は、支柱２３が２本使用されたので、回転方向の位置決めが容易に出来て、アンプユニット５の容器３への確実な接続が容易に行うことが出来る渦流量計が得られる。
【００２５】
また、プリント板８は、スライド部２３２によりスライド可能であるので、支柱２３による片側のみの締め付けにおいても、アンプユニット５に締め付けによるねじり加重は加わらず、取付けねじ２３は、交互に締め付ける必要はない。
従って、エアードライバー等による組立ても可能となり、組立てが容易で、製造コストを低減出来る渦流量計が得られる。
【００２６】
また、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００２７】
【発明の効果】
以上説明したように、本発明の請求項１によれば、次のような効果がある。
アンプユニットの容器への取付けは、容器のねじ取り付け部に設けられ、コネクター接続が容易に出来るように、アンプユニットのねじを誘導する誘導孔と、アンプユニットのプリント板に取付けられ一端部に容器のねじ取り付け部にねじ合わされるねじ部と、途中に設けられプリント板を所定ストロークスライド出来るスライド部とを有する支柱が設けられた。
【００２８】
従って、容器側の誘導孔とアンプユニット側のねじ部とにより、位置決めをし、スライド部によりプリント板をスライド出来るようにして、コネクターによる、ベースボードとのコネクター接続を可能にして、位置決めピンによるアンプユニットの破損の恐れを回避したので、組立てが容易で、製造コストを低減出来る渦流量計が得られる。
【００２９】
また、位置決めピンを無くしたので、プリント板の電子部品の実装有効面積が増加出来る渦流量計が得られる。
また、この場合は、支柱が２本使用されたので、回転方向の位置決めが容易に出来て、アンプユニットの容器への確実な接続が容易に行うことが出来る渦流量計が得られる。
【００３０】
また、プリント板は、スライド部によりスライド可能であるので、支柱による片側のみの締め付けにおいても、アンプユニットに締め付けによるねじり加重は加わらず、取付けねじは、交互に締め付ける必要はない。
【００３１】
よって、エアードライバー等による組立ても可能となり、組立てが容易で、製造コストを低減出来る渦流量計が得られる。
従って、本発明によれば、アンプ部の容器への容易な位置決めと容易な締め付け固定が出来、組立てが容易で、製造コストを低減出来る渦流量計を実現することが出来る。
【図面の簡単な説明】
【図１】本発明の一実施例の要部構成説明図である。
【図２】図１の要部詳細説明図である。
【図３】図２の部品である容器の要部構成説明図である。
【図４】図２の部品である支柱の要部構成説明図である。
【図５】図２の部品であるアンプの要部構成説明図である。
【図６】図５の側面図である。
【図７】図１の動作説明図である。
【図８】図１の動作説明図である。
【図９】図１の動作説明図である。
【図１０】従来より一般に使用されている従来例の要部構成説明図である。
【図１１】図１０の平面図である。
【図１２】図１０の部品であるアンプユニットの構成説明図である。
【図１３】図１２の側面図である。
【符号の説明】
１      渦流量計本体部
２      信号変換器部
３      容器
４      ベースボード
５      アンプユニット
６      コネクター
７      ねじ
８      プリント板
１１    位置決めピン
１２    位置決めピン１１用の孔
２１    誘導孔
２２    容器３のねじ取り付け部
２３    支柱
２３１  ねじ部
２３２  スライド部
２４    コネクタ
２５    コネクタ
３１    Ｅリング
【図１】
0003972235.tif 000002
【図２】
0003972235.tif 000003
【図３】
0003972235.tif 000004
【図４】
0003972235.tif 000005
【図５】
0003972235.tif 000006
【図６】
0003972235.tif 000007
【図７】
0003972235.tif 000008
【図８】
0003972235.tif 000009
【図９】
0003972235.tif 000010
【図１０】
0003972235.tif 000011
【図１１】
0003972235.tif 000012
【図１２】
0003972235.tif 000013
【図１３】
0003972235.tif 000014